(57)【要約】      （修正有）【課題】眼鏡の着用時、モダン部の頭部への密着性を高めて着用感が良好で、しかも組立も簡単なテンプル構造を提供する。【解決手段】テンプルを眼鏡本体側に連結されるテンプル本体と、モダン部が備えられたモダン部側テンプル体に分割すると共に、モダン部側テンプル体をテンプル本体に対して、連結部材によりモダン部の先端が離間乃至近接する方向に所定角度回動可能に連結して、モダン部側テンプル体をテンプル本体に対して、弾性付勢部材によりモダン部の先端が近接する方向に付勢させている。また連結部材がテンプル本体に組みつけられる固定体とモダン部側テンプル体に組みつけられる回動体から構成されて、固定体に回動体を回動可能に設けると共に、弾性付勢部材がトーションスプリングから構成されて、このトーションスプリングが固定体と回動体との間に介装されている。【選択図】図２
0003141598.tif 000002
【実用新案登録請求の範囲】
【請求項１】
左右のレンズ部を備えた眼鏡本体の左右両側にヒンジ部材を介して回動可能に設けられる眼鏡用テンプル構造であって、テンプルを眼鏡本体側に連結されるテンプル本体と、モダン部が備えられたモダン部側テンプル体に分割すると共に、前記モダン部側テンプル体を前記テンプル本体に対して、連結部材により前記モダン部の先端が離間乃至近接する方向に所定角度回動可能に連結して、前記モダン部側テンプル体を前記テンプル本体に対して、弾性付勢部材により前記モダン部の先端が近接する方向に付勢させていることを特徴とする眼鏡用テンプル構造。
【請求項２】
連結部材がテンプル本体に組みつけられる固定体とモダン部側テンプル体に組みつけられる回動体から構成されて、前記固定体に前記回動体を回動可能に設けると共に、弾性付勢部材がトーションスプリングから構成されて、このトーションスプリングが固定体と回動体との間に介装されていることを特徴とする請求項１に記載の眼鏡用テンプル構造。
【請求項３】
固定体及び回動体にはトーションスプリングの圧入孔がそれぞれ設けられて、これら圧入孔へのトーションスプリングの圧入により、回動体が固定体に対してトーションスプリングを介して連結されていることを特徴とする請求項２に記載の眼鏡用テンプル構造。
【考案の詳細な説明】
【技術分野】
【０００１】
本考案は、眼鏡のテンプル構造に関し、眼鏡の着用感が良好なテンプルを得ようとするものである。
に関する。
【背景技術】
【０００２】
一般的に眼鏡は、既知の通り眼鏡本体と左右のテンプルから構成され、また眼鏡本体は、レンズが嵌められた左右リムと、これら左右リムを連結するブリッジと、ブリッジの下方に取り付けられたパッドと、左右リムの外側に設けられたヒンジ部材が備えられ、左右のヒンジ部材には、その遊端部にモダン部を備えたテンプルが回動可能に取り付けられている。（特許文献１参照）
ところで以上の眼鏡は、用途に応じてその機能が異なるだけでなく着用方法も異なるものであるが、従来の眼鏡では、着用者が楽に着用できるように、熟練された技術者が眼鏡の鼻パッドの間隔及び高さ等を調節すると共に、眼鏡のデンプルのモダン部も適正な角度にひねって調整するようにしている。
【０００３】
しかしながら、眼鏡の使用により、外部の衝撃等によってテンプルのモダン部のひねりの調整が変わってしまい、眼鏡の着用時にモダン部が耳裏の頭部にフィットしなくなることが多分にあり、これを着用者自らが調節することは難しくものであり、無理に調整しようとすると、眼鏡が破損する恐れも考えられる。
【特許文献１】実開平４−３３０１７号公報
【考案の開示】
【考案が解決しようとする課題】
【０００４】
本考案は、以上の実情に鑑みて開発されたものであって、目的とするところは、眼鏡の着用時、モダン部の頭部への密着性を高めて着用感が良好で、しかも組立も簡単なテンプル構造を提供せんとするものである。
【課題を解決するための手段】
【０００５】
前記した目的を達成するために、請求項１に記載の考案は、左右のレンズ部を備えた眼鏡本体の左右両側にヒンジ部材を介して回動可能に設けられるテンプル構造であって、テンプルを眼鏡本体側に連結されるテンプル本体と、モダン部が備えられたモダン部側テンプル体に分割すると共に、前記モダン部側テンプル体を前記テンプル本体に対して、連結部材により前記モダン部の先端が離間乃至近接する方向に所定角度回動可能に連結して、前記モダン部側テンプル体を前記テンプル本体に対して、弾性付勢部材により前記モダン部の先端が近接する方向に付勢させていることを特徴とする。
【０００６】
請求項２に記載の考案は、請求項１に記載のテンプル構造において、連結部材がテンプル本体に組みつけられる固定体とモダン部側テンプル体に組みつけられる回動体から構成されて、前記固定体に前記回動体を回動可能に設けると共に、弾性付勢部材がトーションスプリングから構成されて、このトーションスプリングが固定体と回動体との間に介装されていることを特徴とする。
【０００７】
請求項３に記載の考案は、請求項２に記載のテンプル構造において、固定体及び回動体にはトーションスプリングの圧入孔がそれぞれ設けられて、これら圧入孔へのトーションスプリングの圧入により、回動体が固定体に対してトーションスプリングを介して連結されていることを特徴とする。
【考案の効果】
【０００８】
請求項１に記載の考案によれば、眼鏡の着用時にモダン部側テンプル体がテンプル本体に対して弾性付勢部材に抗しながら回動して、モダン部が外側方に変移して、最終的にはモダン部が着用者の耳裏の頭部に密着して着用されるので、着用感に優れ、従来の眼鏡のように着用者がモダン部の角度等を調整する必要がない。
【０００９】
請求項２または３に記載の発明によれば、請求項１に記載の考案の効果に加え、トーションスプリングが組み込まれた連結部材における固定体をテンプル本体に、また回動体をモダン部側テンプル体にそれぞれ組み付けるだけでよく、全体としてテンプル及び眼鏡の組み付けが簡単かつ容易に行なうことが出来る。
【考案を実施するための最良の形態】
【００１０】
以下、本考案の実施形態について図面を参照しながら説明する。
【００１１】
先ず、図１は本考案にかかるテンプル構造を採用した眼鏡の概略平面図、図２はテンプルの要部の断面図、図３は連結部材の分解斜視図、図４は連結部材の拡大断面図である。
【００１２】
図１において符号Ａで示す眼鏡は、既知の通り眼鏡本体１と左右のテンプル２ａ・２ｂから構成されている。
【００１３】
眼鏡本体１は、レンズ１１が嵌められた左右リム１２と、これら左右リム１２を連結するブリッジ１３と、左右リム１２におけるブリッジ１３の下方に取り付けられた鼻パッド１４と、左右リムの外側に設けられたヒンジ部材１５が備えられ、左右のヒンジ部材１５には、本発明にかかるテンプル構造を採用したテンプル２ａ・２ｂが回動可能に取り付けられる。
【００１４】
次にこのテンプル２ａ・２ｂを詳説する。
【００１５】
図に示すテンプル２ａ・２ｂは、その長さ方向一端が前記したヒンジ部材１５に連結されるテンプル本体３と、モダン部４０が備えられたモダン部側テンプル体４と、テンプル本体３とモダン部側テンプル体４を連結するための連結部材５から構成されている。
【００１６】
テンプル本体３の先端部には、後記する連結部材５の固定体６が嵌合固定可能な嵌合穴３１が設けられており、またモダン部側テンプル体４におけるテンプル本体３との連結部側にも、後記する連結部材５の回動体７が嵌合固定可能な嵌合穴４１が設けられている。
【００１７】
モダン部側テンプル体４に設けられたモダン部４０は、図２に示すように、側面から見てその先端側が斜め下方を向くように「への字」状に屈曲している。
【００１８】
連結部材５は、テンプル本体３側に固定される固定体６と、モダン部側テンプル体４側に固定される回動体７と、固定体６と回動体７との間に組み付けられる弾性付勢部材８から構成され、弾性付勢部材８はコイル式のトーションスプリングから構成されている
固定体６は、その長さ方向一端に略直方体状の受け体６１が設けられ、長さ方向他端にはテンプル本体３に対する固定片６２が設けられ、この固定片６２にはねじ孔６３が設けられている。
【００１９】
また固定体６における前記受け体６１側には、その奥からトーションスプリング８の長さ方向一端部が圧入固定される圧入孔６４と、内径がこの圧入孔６４よりも一回り大きな作動孔６５と、内径がこの作動孔６５よりも一回り大きくて後記するフランジ７５の挿入孔６６が順に形成されている
回動体７は、長さ方向一方が円筒状の筒部７１に形成されて、この筒部７１内には、その奥からトーションスプリング８の長さ方向他端部が圧入固定される圧入孔７２と、内径がこの圧入孔７２よりも一回り大きい作動孔７３が同軸状に形成されている。
【００２０】
またこの回動体７の長さ方向他端側の外面には、外面を一部窪ませた凹所７４と、径方向外方に円板状に突出するフランジ７５が形成されている。
【００２１】
以上の連結部材５は、トーションスプリング８の長さ方向一端側を回動体７の圧入孔７２内に圧入して、図３に示すように、トーションスプリング８を回動体７に組み付けた後、トーションスプリング８の長さ方向他端側を固定体６の圧入孔６４内に圧入固定すると共に、回動体７の筒部７１を固定体６の作動孔６５に、またフランジ７５を固定体６の挿入孔６６内にそれぞれ装填する。
【００２２】
そしてトーションスプリング８が捻じ込まれる方向に回動体７を固定体６に対して回転させた状態で、固定体６における作動孔部分の外周壁を部分的に窪ませて、回動体７の凹所７４内に突入する突起６７を形成するのであって、これにより、固定体６に回動体７が組み付けられ、しかも回動体７の固定体６に対する回転許容角度が所定角度（実施形態では９０度）に規制されると共に、トーションスプリング８を介して回動体７が固定体６に対して一方向に回転付勢される。
【００２３】
次に、連結具５における固定体６の固定片６２側を、テンプル本体３の先端部に設けた嵌合穴３１内に圧入した後、テンプル本体３の外周から固定片６２のねじ孔６３にビスを螺締することで、固定体６をテンプル本体３に固定する。
【００２４】
しかる後、連結具５における回動体７の先端部を、モダン部側テンプル体４に設けた嵌合孔４１内に圧入することで、回動体７をモダン部側テンプル体４に固定するのであって、この時、左右のモダン部４０の先端部が、図１の実線で示すように、平面から見てテンプル本体３よりも内方に位置するようにセットする。
【００２５】
以上のテンプル構造では、連結具５を構成する固定体６及び回動体７をテンプル本体３及びモダン部側テンプル体４にそれぞれ組み付けるだけでよいので、眼鏡、特にテンプルの組立てが簡単且つ容易に行なえる。
【００２６】
斯くして以上のテンプル２ａ・２ｂが取り付けられた眼鏡Ａでは、眼鏡Ａの着用時にモダン部側テンプル体４がテンプル本体３に対してトーションスプリング８に抗しながら回動して、モダン部４０が外側方（図１において実線で示す位置から２点鎖線で示す方向）に変移し、最終的には、モダン部４０が着用者の耳裏の頭部に密着して着用されるので、着用感に優れ、従来の眼鏡のように着用者がモダン部の角度等を調整する必要がない。
【図面の簡単な説明】
【００２７】
【図１】本発明に係るテンプル構造を採用した眼鏡の一実施形態を示す平面図。
【図２】テンプルの要部の断面図。
【図３】連結部材の分解斜視図。
【図４】連結部材の拡大断面図。
【符号の説明】
【００２８】
Ａ      眼鏡
１      眼鏡本体
２ａ  ２ｂ    テンプル
３      テンプル本体
４      モダン部側テンプル体
５      連結部材
６      固定体
６４    圧入孔
７      回動体
７２    圧入孔
８      トーションスプリング（弾性付勢部材）
【図１】
0003141598.tif 000003
【図２】
0003141598.tif 000004
【図３】
0003141598.tif 000005
【図４】
0003141598.tif 000006